(57)【要約】【課題】撮影された画像とテンプレートとの合成画像を表す画像データをファイル出力する際に、著作権を有するテンプレートを用いた合成画像を表す画像データをファイル出力しないようにする。【解決手段】テンプレート指定手段２０がテンプレートを指定し、画像指定手段３０が画像を指定する。テンプレート指定手段２０により指定されたテンプレートが著作権テンプレートであり、出力先指定手段１２によりファイル出力が指定されたときには、合成手段４０が、指定された著作権テンプレートに対応する代替テンプレートの画像データと、指定された画像の画像データとを画像データ記憶手段８０ａから呼び出して合成し代替合成画像を作成し、代替合成画像を表す画像データをファイル出力手段６０がファイル出力する。【選択図】　　　　　図１
2004032247.tif 000002
【特許請求の範囲】
【請求項１】
撮影により取得された画像を嵌め込む画像合成領域を有する複数のテンプレートの中から所望のテンプレートを指定するテンプレート指定手段と、
前記画像合成領域に嵌め込む画像を指定する画像指定手段と、
該指定された画像を前記画像合成領域に嵌め込み合成し合成画像を作成する画像合成手段と、
該作成された合成画像を表す合成画像データをファイル出力するファイル出力手段とを備えた合成画像出力装置において、
前記複数のテンプレートのうち、著作権を有するコンテンツを含む著作権テンプレートに代えて使用される代替テンプレートを表す画像データを該著作権テンプレートを示す情報に関連付けて記憶する代替テンプレート記憶手段を備え、
前記画像合成手段が、前記テンプレート指定手段により前記著作権テンプレートが指定されたときに、該著作権テンプレートを示す情報に関連付けて記憶されている代替テンプレートを表す画像データと、前記画像指定手段により指定された画像を表す画像データとに基づいて、前記代替テンプレートと前記画像とを合成し代替合成画像を作成し、前記ファイル出力手段が、該代替合成画像を表す代替合成画像データをファイル出力するものであることを特徴とする合成画像出力装置。
【請求項２】
前記代替合成画像が作成された際の画像合成条件を該代替合成画像を示す情報と関連付けて記憶する合成情報記憶手段と、
前記代替合成画像に用いられた前記画像を表す画像データと、該代替合成画像に用いられた代替テンプレートに対応する著作権テンプレートを表す画像データとに基づいて、該画像と該著作権テンプレートとを、該代替合成画像を示す情報と関連付けて記憶されている前記画像合成条件により合成し再合成画像を作成する再合成手段と、
該作成された再合成画像をプリント出力するプリント出力手段とをさらに備えたことを特徴とする請求項１記載の合成画像出力装置。
【請求項３】
撮影により取得された画像を嵌め込む画像合成領域を有する複数のテンプレートの中から所望のテンプレートを指定するテンプレート指定手段と、
前記画像合成領域に嵌め込む画像を指定する画像指定手段と、
該指定された画像を前記画像合成領域に嵌め込み合成し合成画像を作成する画像合成手段と、
該作成された合成画像を表す合成画像データをファイル出力するファイル出力手段とを備えた合成画像出力装置において、
前記各テンプレートが、該テンプレートを用いた合成画像のファイル出力可否を示す情報を付与されたものであり、
該ファイル出力可否を示す情報を参照して、ファイル出力不可とされている前記テンプレートが前記テンプレート指定手段により指定されたときに、該指定されたテンプレートを用いた前記合成画像を前記ファイル出力手段により出力しないように制御する出力制御手段を備えたことを特徴とする合成画像出力装置。
【発明の詳細な説明】
【０００１】
【発明の属する技術分野】
本発明は合成画像出力装置に関し、特に詳しくは、撮影された画像とテンプレートとを合成した合成画像を表す画像データをフロッピー（登録商標）ディスク（ＦＤ）やＣＤなどの記録媒体に出力する合成画像出力装置に関するものである。
【０００２】
【従来の技術】
従来より、年賀用の文字やイラストと、写真を挿入するための空白領域とからなるテンプレートを利用して写真入り年賀用ポストカードを作成するといったサービスが行われている。このようなポストカードは、例えば、撮影された画像が記録されているネガフイルム等をユーザが写真店に持ち込み、写真店において画像を画像データに変換し、この画像データと文字の配置やテンプレートを表すテンプレートデータとを合成して合成画像データを得、この合成画像データに基づいて合成画像をプリントすることにより作成される。
【０００３】
一方、近年では、デジタル電子スチルカメラ（以下、デジタルカメラとする。）が急速に普及しつつある。デジタルカメラで撮影された画像は画像データとしてデジタルカメラ内部に設けられた内部メモリやＩＣカードなどの記録媒体に記録され、この記録された画像データをモニタやプリンタにより出力して、画像を表示またはプリントすることができる。
【０００４】
また、写真店において変換されたりデジタルカメラで撮影されるなどして取得された画像データに基づく画像と、はがきやアルバム、カレンダーなどを作成するためのテンプレートとを合成して合成画像を作成し、作成された合成画像を表す画像データをＣＤやＦＤ等の記録媒体に記録して販売するサービスが提案されている。このＣＤ等を購入すれば、自宅のパソコンで、作成された合成画像の表示や編集、印刷等をすることができる。
【０００５】
【発明が解決しようとする課題】
ところで、上記のような合成画像を表す画像データを記録媒体に記録して販売するサービスを実施するときに、例えばディズニーキャラクターなど、著作権を有するキャラクターが描かれているテンプレートを用いて作成された合成画像の画像データをＣＤ等に記録して販売してしまうと、購入した人が自由に著作権を有するキャラクターが入ったテンプレートを再利用することができるため、著作権上の問題が発生する。
【０００６】
本発明は、上記事情に鑑み、撮影された画像とテンプレートとの合成画像を表す画像データをＣＤ等の記録媒体に記録させるためにファイル出力する際に、著作権を有するテンプレートを用いた合成画像を表す画像データをファイル出力しないようにすることを可能とした合成画像出力装置を提供することを目的とするものである。
【０００７】
【課題を解決するための手段】
本発明による合成画像出力装置は、撮影により取得された画像を嵌め込む画像合成領域を有する複数のテンプレートの中から所望のテンプレートを指定するテンプレート指定手段と、画像合成領域に嵌め込む画像を指定する画像指定手段と、指定された画像を画像合成領域に嵌め込み合成し合成画像を作成する画像合成手段と、作成された合成画像を表す合成画像データをファイル出力するファイル出力手段とを備えた合成画像出力装置において、
複数のテンプレートのうち、著作権を有するコンテンツを含む著作権テンプレートに代えて使用される代替テンプレートを表す画像データを該著作権テンプレートを示す情報に関連付けて記憶する代替テンプレート記憶手段を備え、画像合成手段が、テンプレート指定手段により著作権テンプレートが指定されたときに、該著作権テンプレートを示す情報に関連付けて記憶されている代替テンプレートを表す画像データと、画像指定手段により指定された画像を表す画像データとに基づいて、代替テンプレートと画像とを合成し代替合成画像を作成し、ファイル出力手段が、代替合成画像を表す代替合成画像データをファイル出力するものであることを特徴とするものである。
【０００８】
ここで、ファイル出力手段とは、ＣＤやＦＤ等の記録媒体に合成画像データを記録させるために合成画像データを出力する手段を意味するものである。
【０００９】
著作権を有するコンテンツとは、例えば、著作権を有するディズニーキャラクターの絵などを意味するものである。
【００１０】
代替テンプレートとは、著作権テンプレートに似た絵柄のテンプレートを意味するものであり、例えば、著作権テンプレートに含まれる著作権を有するコンテンツの部分を黒、白或いは背景色で塗りつぶした絵柄のものや、著作権を有するキャラクターの部分を塗りつぶして「ミッキー」などの名称を記載した絵柄のもの、或いは、テンプレートの全体または一部に「著作権問題あり」等の文字を大きく入れたものなどを採用することができる。
【００１１】
また、本発明による合成画像出力装置を、代替合成画像が作成された際の画像合成条件を代替合成画像を示す情報と関連付けて記憶する合成情報記憶手段と、代替合成画像に用いられた画像を表す画像データと、該代替合成画像に用いられた代替テンプレートに対応する著作権テンプレートを表す画像データとに基づいて、該画像と該著作権テンプレートとを、該代替合成画像を示す情報と関連付けて記憶されている画像合成条件により合成し再合成画像を作成する再合成手段と、作成された再合成画像をプリント出力するプリント出力手段とをさらに備えたものとすることもできる。
【００１２】
画像合成条件とは、画像合成の際に行われた画像の編集に関する情報（トリミングに関する情報や嵌め込む画像に施された画像処理の内容を示す情報など）を意味するものである。
【００１３】
プリント出力手段とは、再合成画像をはがきや種々の大きさの用紙等に印刷して出力する手段を意味するものである。
【００１４】
また、本発明による第２の合成画像出力装置は、撮影により取得された画像を嵌め込む画像合成領域を有する複数のテンプレートの中から所望のテンプレートを指定するテンプレート指定手段と、画像合成領域に嵌め込む画像を指定する画像指定手段と、指定された画像を画像合成領域に嵌め込み合成し合成画像を作成する画像合成手段と、作成された合成画像を表す合成画像データをファイル出力するファイル出力手段とを備えた合成画像出力装置において、
各テンプレートが、該テンプレートを用いた合成画像のファイル出力可否を示す情報を付与されたものであり、ファイル出力可否を示す情報を参照して、ファイル出力不可とされているテンプレートがテンプレート指定手段により指定されたときに、該指定されたテンプレートを用いた合成画像をファイル出力手段により出力しないように制御する出力制御手段を備えたことを特徴とするものである。
【００１５】
【発明の効果】
上記のように構成された本発明の合成画像出力装置によれば、テンプレート指定手段により著作権テンプレートが指定されたときに、著作権テンプレートに代えて代替テンプレートと画像とを合成し代替合成画像を作成し、この代替合成画像を表す画像データをファイル出力手段によりファイル出力するので、著作権を有するテンプレートを用いた合成画像をファイル出力しないようにすることができる。すなわち、著作権を有するコンテンツをファイル出力することにより発生する著作権問題を事前に回避することができる。
【００１６】
なお、代替合成画像が作成された際の画像合成条件を記憶し、この記憶されている画像合成条件を用いて、代替合成画像に用いられた画像と、代替合成画像に用いられた代替テンプレートに対応する著作権テンプレートとを合成し再合成画像を作成し、再合成画像をプリント出力するようにすれば、代替テンプレートを用いた合成画像の画像データをファイル出力した後に、著作権テンプレートを用いた合成画像をプリント出力したいという要望があったとき、効率的かつ迅速に合成画像の作成、プリントをすることができる。
【００１７】
また、上記のように構成された本発明の第２の合成画像出力装置によれば、各テンプレートに付与されている、該テンプレートを用いた合成画像のファイル出力可否を示す情報を参照して、ファイル出力不可とされているテンプレートがテンプレート指定手段により指定されたときに、このテンプレートを用いた合成画像をファイル出力しないように制御する出力制御手段を備えたので、著作権を有するテンプレートにファイル出力不可を示す情報を付与することにより、著作権を有するテンプレートを用いた合成画像をファイル出力しないようにすることができる。
【００１８】
【発明の実施の形態】
以下、本発明の合成画像出力装置の実施の形態を図面に基づいて説明する。図１は本発明における合成画像出力装置を包括する画像合成出力システムの概略構成を示すブロック図である。
【００１９】
本実施形態の画像合成出力システムは、合成画像の作成命令や注文情報を入力する指示入力手段１１と、指示入力手段１１により初回注文と入力されたときに、テンプレートを指定するテンプレート指定手段２０、および嵌め込む画像を指定する画像指定手段３０と、テンプレートと画像とを合成し合成画像を作成する合成手段（画像合成手段）４０と、作成された合成画像の出力先を指定する出力先指定手段１２と、作成された合成画像等を表示する表示手段５０と、合成画像の画像データをファイル出力するファイル出力手段６０と、合成画像をプリント出力するプリント出力手段７０と、テンプレートや嵌め込む画像を表す画像データを記憶している画像データ記憶手段８０ａと、画像データ記憶手段８０ａに記憶されているテンプレートの付帯情報を記憶している付帯情報記憶手段８０ｂと、ファイル出力の際の合成情報を記憶する合成情報記憶手段９０とを備えて構成されている。
【００２０】
画像データ記憶手段８０ａには、テンプレートや嵌め込み用の画像の画像データが多数記憶されている。また、テンプレートのうち、著作権を有するコンテンツを含む著作権テンプレートについては、類似した絵柄の代替テンプレートが用意され、各著作権テンプレートと関連付けられた状態で画像データ記憶手段８０ａに記憶されている。すなわち、画像データ記憶手段８０ａは、代替テンプレート記憶手段を含むものである。
【００２１】
著作権テンプレートとは、ディズニーキャラクター等の著作権を有するコンテンツが含まれているテンプレートであり、代替テンプレートとしては、著作権を有するコンテンツの部分を塗りつぶしたものなどが用意されている。図２は代替テンプレートに画像を合成して得られた合成画像の一例を示す図である。ディズニーキャラクターの「ミッキー」の絵を含む著作権テンプレートの代替テンプレートＴ１，Ｔ２に、風景写真Ｐが嵌め込まれている。同図（ａ）の合成画像に使用されている代替テンプレートＴ１は、ミッキーＣを黒く塗りつぶすことにより作成されたものであり、同図（ｂ）の合成画像に使用されている代替テンプレートＴ２は、ミッキーの部分を背景色で塗りつぶすことにより作成されたものである。
【００２２】
付帯情報記憶手段８０ｂには、画像データ記憶手段８０ａに記憶されている各テンプレートに付与されている付帯情報として、著作権テンプレートであるか否かを示す情報が各テンプレートと関連付けられた状態で記憶されている。
【００２３】
合成情報記憶手段９０には、ファイル出力手段６０によりファイル出力が行われた合成画像が合成手段４０により作成された際の合成情報を記憶しているものである。合成画像としては、例えば、使用されたテンプレートのＩＤ（識別値）、嵌め込まれた画像の画像データ、画像合成の際に行われた画像の編集に関する情報を示す画像合成条件（拡大率や施された画像処理の種類および値など）が、ファイル出力された合成画像を特定する情報（例えば、注文番号等）と関連付けられた状態で記憶されている。なお、合成情報記憶手段９０に記憶されている嵌め込まれた画像の画像データは画像データ記憶手段８０ａにも記憶されていてもよいが、画像データ記憶手段８０ａに記憶されている画像データは主に初回注文時に使用されるものであり、合成情報記憶手段９０に記憶されている画像データは再注文時に使用されるものであるため、初回注文時にファイル出力が行われた合成画像データに用いられた画像の画像データは、ファイル出力後に画像データ記憶手段８０ａから削除されていてもよい。
指示入力手段１１は、合成画像の作成命令とともに、初回注文であるか、或いは再注文であるかの別や、初回注文時の注文番号等を入力する手段であり、例えば、表示画面上に設けられた「初回注文処理ボタン」や「再注文処理ボタン」などをユーザが押して、キーボード等から注文番号を入力することにより、指示を入力する手段である。
【００２４】
テンプレート指定手段２０および画像指定手段３０は、それぞれ画像データ記憶手段８０ａから、選択可能なテンプレートや画像の画像データを全て呼び出してサムネイル画像を一覧表示し、表示されたサムネイル画像の中からユーザが所望のテンプレートや画像を選択することにより合成するためのテンプレートおよび画像を指定するものである。
【００２５】
合成手段４０は、初回注文のときには、テンプレート指定手段２０および画像指定手段３０により指定されたテンプレートおよび画像それぞれを表す画像データを画像データ記憶手段８０ａから呼び出して合成画像を作成し、作成された合成画像の画像データを表示手段５０に対して出力したり、ファイル出力手段６０やプリント出力手段７０に対して出力するものである。また、テンプレート指定手段２０により指定されたテンプレートが著作権を有するテンプレート（著作権テンプレート）であり、さらに出力先指定手段１２により出力先にファイル出力手段６０が指定されたときには、著作権テンプレートと対応付けられた状態で画像データ記憶手段８０ａに記憶されている代替テンプレートの画像データと、画像指定手段３０により指定された画像の画像データとに基づいて代替合成画像を作成し、代替合成画像の画像データをファイル出力手段６０に対して出力するものである。
【００２６】
また合成手段４０は、再注文のときには、指示入力手段１１から入力された初回注文時の注文番号に基づいて、合成情報記憶手段９０からテンプレートＩＤ、嵌め込まれた画像の画像データ、画像合成条件を検索し、検索結果に基づいて画像データ記憶手段８０ａからテンプレートの画像データを呼び出して再合成画像を作成する再合成手段の機能をも備えたものである。
【００２７】
出力先指定手段１２は、表示手段５０により合成画像が表示されているときに画面上に設けられている「ファイル出力ボタン」や「プリント出力ボタン」等のボタンを押すことにより出力先を指定するものである。
【００２８】
ファイル出力手段６０は、合成手段４０により作成された合成画像を表す合成画像データを出力してＣＤやＦＤ等の記録媒体に記録させる手段であり、プリント出力手段７０は、合成画像データに基づく合成画像を所定の大きさの用紙にプリントする手段である。
【００２９】
次に、以上のように構成された本実施形態の画像合成出力システムの作用について説明する。
【００３０】
１．初回注文時（ファイル出力）の処理
写真店で画像合成の注文を受けたとき、ユーザ（店側）が「初回注文処理ボタン」を押して指示入力手段１１により初回注文処理開始の指示を入力すると、テンプレートの候補のサムネイル画像と嵌め込み用画像の候補のサムネイル画像が表示画面上に表示される。ユーザは、表示されたサムネイル画像の中からそれぞれ所望のものを選択して指定する。すなわち、テンプレート指定手段２０により所望のテンプレートを選択し、画像指定手段３０により所望の画像を選択する。
【００３１】
テンプレートと画像が指定されると、合成手段４０により、指定されたテンプレートと画像それぞれを表す画像データが画像データ記憶手段８０ａから呼び出されて合成され、合成画像が表示手段５０により表示される。なお、合成画像作成の際には、嵌め込み用の画像に対して自動的に所定の色補正やシャープネス処置等が施される。また、ユーザは表示された合成画像を見ながら、嵌め込み用の画像を拡大したり一部を切り出すなどの編集を行うことができる。
【００３２】
嵌め込み用の画像に対する画像処理や編集が終了して所望の合成画像が作成されると、次にユーザは出力先指定手段１２により出力先の指定を行う。ここでユーザが「ファイル出力ボタン」を押すと、合成手段４０が、表示手段５０に表示されている合成画像に用いられているテンプレートが著作権テンプレートであるかを付帯情報記憶手段８０ｂを参照して判断し、著作権テンプレートではないと判断されたときには、表示されている合成画像を表す画像データをファイル出力手段６０により出力してＣＤ等に記録する。また、著作権テンプレートであると判断されたときには、合成手段４０が、表示手段５０に表示されている合成画像に用いられている著作権テンプレートを代替テンプレートと差し替えて代替合成画像を作成し、作成された代替合成画像を表す画像データをファイル出力手段６０により出力してＣＤ等に記録する。このとき、ファイル出力手段６０により出力された代替合成画像データに関する画像合成条件（最終的な画像処理や編集の条件）、テンプレートＩＤ、嵌め込まれた画像の画像データが注文番号と関連付けられた状態で合成情報記憶手段９０に記憶される。
【００３３】
２．再注文時の処理
初回注文時に代替テンプレートを用いてファイル出力された代替合成画像の再注文があったときに、ユーザ（店側）が指示入力手段１１により初回注文時の注文番号を入力するとともに「再注文処理ボタン」を押して再注文処理開始の指示を入力すると、入力された注文番号を参照して合成手段４０が、代替合成画像を作成した際のテンプレートＩＤ、嵌め込まれた画像の画像データ、画像合成条件を合成情報記憶手段９０から検索し、検索されたテンプレートＩＤに基づいて著作権テンプレートを指定し、指定された著作権テンプレートの画像データを画像データ記憶手段８０ａから呼び出して、検索された画像合成条件で著作権テンプレートと嵌め込まれた画像とを合成し、再合成画像を作成する。さらに、作成された再合成画像を表示手段５０により表示することもできる。
【００３４】
次に、ユーザが出力先指定手段１２により出力先の指定を行うと、指定された出力先によって、合成手段４０が著作権テンプレートを用いるか、代替テンプレートを用いるかを判断し画像の合成を行い、出力処理を行う。すなわち、出力先指定手段１２によりファイル出力が指定されたときには、合成手段４０は代替テンプレートを用いて合成画像を作成し、プリント出力が指定されたときには、著作権テンプレートを用いて合成画像を作成し、作成された合成画像を表す画像データをそれぞれファイル出力手段６０またはプリント出力手段７０により出力する。
【００３５】
上記のように構成された本実施形態の画像合成出力システムによれば、著作権テンプレートの代替テンプレートとして、著作権テンプレートの絵柄に似た、著作権上の問題をなくしたテンプレートを用意し、合成画像をファイル出力する際には自動的に代替テンプレートに差し替えて出力するので、著作権を有するコンテンツをファイル出力することで発生する著作権問題を事前に回避することができる。
【００３６】
また、代替合成画像を作成した際に、画像合成条件等を記憶しておくので、再注文が可能となる。すなわち、写真店のサービスとして、ファイル出力の注文を受けた後に、正規の著作権テンプレートによるプリント出力を希望する再注文を受ける可能性があるが、画像合成条件や、テンプレートのＩＤ、嵌め込まれた画像の画像データを記憶しておけば、再注文時に、迅速に、正規の著作権テンプレートに差し替えてプリントを行うことができる。
【００３７】
なお、再注文時の処理としては、上記のような形態のほか、初回注文時の注文番号と関連付けて代替テンプレートを用いた合成画像の画像データのみを合成情報記憶手段９０に保存し、再注文時に、合成画像中の画像合成領域以外の背景部分だけを著作権テンプレートに入れ替える形態としてもよい。また、著作権テンプレートを用いた合成画像の画像データを合成情報記憶手段９０に記憶させておくようにしてもよい。
次に、本発明の具体的な第２の実施形態について説明する。図３は本実施形態における合成画像出力装置を包括する画像合成出力システムの概略構成を示すブロック図である。なお、上記第１の実施形態の構成要素と同等に作用する要素については図１と同じ符号を付して、特に必要のない限りその説明を省略する。
【００３８】
本実施形態の画像合成出力システムは、テンプレートを指定するテンプレート指定手段２０と、嵌め込む画像を指定する画像指定手段３０と、テンプレートと画像とを合成し合成画像を作成する合成手段４３と、作成された合成画像の出力先を指定する出力先指定手段１２と、作成された合成画像等を表示する表示手段５０と、合成画像の画像データをファイル出力するファイル出力手段６０と、合成画像をプリント出力するプリント出力手段７０と、テンプレートや嵌め込む画像を表す画像データを記憶している画像データ記憶手段８０ａと、画像データ記憶手段８０ａに記憶されているテンプレートの付帯情報を記憶している付帯情報記憶手段８０ｂ′と、付帯情報記憶手段８０ｂ′に記憶されている付帯情報を参照してファイル出力手段６０によるファイル出力を制御する出力制御手段６５とを備えて構成されている。
【００３９】
付帯情報記憶手段８０ｂ′には、画像データ記憶手段８０ａに記憶されている各テンプレートに付与されている付帯情報として、ファイル出力の可否を示す情報が記憶されている。なお、ファイル出力の可否を示す情報とは著作権テンプレートであるか否かを示す情報と同等ではない。すなわち、ファイル出力を不可とするとは、代替テンプレートによるファイル出力をも許可しないことを意味するものである。
【００４０】
合成手段４３は、テンプレート指定手段２０および画像指定手段３０により指定されたテンプレートおよび画像それぞれを表す画像データを画像データ記憶手段８０ａから呼び出して合成画像を作成し、作成された合成画像の画像データを表示手段５０に対して出力したり、ファイル出力手段６０やプリント出力手段７０に対して出力するものである。
【００４１】
出力制御手段６５は、合成手段４３により作成された合成画像に用いられているテンプレートの付帯情報を付帯情報記憶手段８０ｂ′から検索して参照し、ファイル出力が不可とされているテンプレートが用いられているときには、出力先指定手段１２により出力先を選択するときに、ファイル出力を選択することができないように制御する。具体的には、表示手段５０により合成画像が表示されているときに画面上に設けられている「ファイル出力ボタン」と「プリント出力ボタン」のうち、「ファイル出力ボタン」を選択することができないように表示制御を行うものである。
【００４２】
次に、以上のように構成された本実施形態の画像合成出力システムの作用について説明する。
【００４３】
テンプレート指定手段２０によりテンプレートが指定され、画像指定手段３０により画像が指定され、合成手段４３により合成画像が作成されると、作成された合成画像を表す画像データが表示手段５０により表示される。ここで、出力制御手段６５が、この合成画像に使用されているテンプレートの付帯情報を付帯情報記憶手段８０ｂ′から検索し、ファイル出力不可とされているテンプレートが使用されているときには、「ファイル出力ボタン」の選択ができないように表示手段５０による表示を制御する。
【００４４】
上記のように構成された本実施形態の画像合成出力システムによれば、ファイル出力の可否を示す情報が各テンプレートに付与されて付帯情報記憶手段８０ｂ′に記憶され、その情報に基づいて、ファイル出力を行わないように制御することができるので、著作権を有するコンテンツを含むテンプレートをファイル出力することにより発生する著作権問題を事前に回避することができる。また、コンテンツ業者の意向により、代替テンプレートを用いたファイル出力をも許可したくない場合にも対応できる。
【００４５】
なお、出力制御手段６５は、表示手段５０による表示を制御する形態に限られるものではなく、ファイル出力不可とされているテンプレートが使用されているときにファイル出力が行われないように制御することが可能なものであればいかなるものでもよい。
【図面の簡単な説明】
【図１】本発明の第１の実施形態による合成画像出力装置を包括する画像合成出力システムの概略構成を示すブロック図
【図２】代替テンプレートを用いた合成画像の一例を示す図
【図３】本発明の第２の実施形態による合成画像出力装置を包括する画像合成出力システムの概略構成を示すブロック図
【符号の説明】
２０　　テンプレート指定手段
３０　　画像指定手段
４０　　合成手段
６０　　ファイル出力手段
６５　　出力制御手段
７０　　プリント出力手段
８０ａ　画像データ記憶手段
９０　　合成情報記憶手段
【図１】
2004032247.tif 000003
【図２】
2004032247.tif 000004
【図３】
2004032247.tif 000005